(57)【要約】【課題】炊飯器の、左右どちらの側面にも取り付け可能で、しゃもじを持った片手で、蓋の開閉が可能な、しゃもじ用の容器が求められている。【解決手段】開口部が略長方形の容器に、開口部の長辺と直角の回転軸と、しゃもじの柄を出す為のスリットを有する蓋を設け、スリットと反対側の端部には下向きのプレートを設ける。回転軸受けは２ヶ所設け、蓋を１８０度逆向きに取り付けても機能する様に装置する。【選択図】図３
2008119437.tif 000002
【特許請求の範囲】
【請求項１】
上部が開口した容器本体と、その上部に取り付けられる蓋を備え、容器本体の開口部形状が、略長方形または略長円形の容器において、容器本体の中央部より上側で、開口部の両短辺の間の空間に、開口部の長辺と略直角で略水平の回転軸を設け、この回転軸を回転中心として蓋が回転する事で、容器の蓋の開閉を行なう、回転蓋付きの容器。
【請求項２】
以下のいずれか、または全ての構造を有する事を特徴とする、請求項１に記載の、回転蓋付きの容器。
１，容器の側面又は底部近傍に、磁石や吸盤やフック等を取り付ける為の装置として、突起・凹形状・穴・鉤型形状等を取り付けた、または、容器本体に一体成形した。
２，容器本体の底部近傍に、スタンドを設けた。スタンドとは、容器本体の側面よりも外側に張り出し、容器本体の転倒を防止する形状全てを指す。
３，前項のスタンドを、吸盤や磁石を取り付ける為の装置を設けた側面についてのみ、一部分または全部を廃止した。
４，容器本体及び蓋を、樹脂成形品とした。尚、蓋を透明又は半透明とする場合も含む。
５，回転軸を保持する軸受け部分は、蓋に円筒や棒状の突起を設け、容器本体の上部開口部近傍に、上側が開放した凹形状を設ける、または、容器本体に穴または貫通孔を設ける構造とした。
６，回転軸を保持する軸受け部分は、容器本体の上部開口部近傍に円筒や棒状の突起を設け、蓋の下部に、下側が開放した凹形状を設ける、または、蓋に、穴または貫通孔を設ける構造とした。
７，回転軸受けの位置は、容器開口部長辺の中央部から、一方の短辺側に片寄った位置とし、蓋を開ける際は、回転軸から開口部短辺までの距離が短い側が下がり、その反対側が上がる方向に回転する様に装置した。
８，蓋は、回転軸に対して短辺までの距離が短い側は、容器本体の開口部よりも面積が小さく、その反対側は、容器本体の開口部と同等または若干大きく装置する事で、蓋を閉じた際、蓋の自重で回転せずに安定する様に装置した。または、蓋や容器開口部の一部に凹凸形状やリブ、段差等のストッパーを設け、蓋が所定の位置以上に回転しない様に装置した。
９，蓋には、１ヶ所以上の、スリットまたは貫通孔を設けた。尚、本項のスリットとは、蓋の短辺の幅に対して、９０％以下の幅を有するＵ字型の切り欠き形状も含む。
１０，蓋の一端に、蓋を閉じた状態で下向きに伸びたプレートを設け、このプレートは、蓋を回転させて開けた場合でも、容器の内壁に当らず、蓋の開閉を妨げない長さと形状に装置した。即ちプレート部分は、容器開口部の内側に収まる寸法とした。
１１，蓋に設けた前項に記載のプレートは、蓋を全開にした際に重りとなって、蓋の重量とつり合い、蓋の回転が全開状態で安定して止まる様に装置した。
１２，容器本体の側面、または蓋の上面、またはその両方を、意匠面とした。
１３，容器本体のサイズを、しゃもじが収まる程度の大きさ、すなわち、容器本体の高さを５〜１５ｃｍ、容器開口部の長辺の長さを、５〜２０ｃｍとし、蓋に設けたスリット部から、しゃもじの柄が出せる様に装置し、蓋の全開時に、しゃもじの先端で蓋の下向きプレートを押す事で、蓋には手を触れずに蓋を閉じる事が可能に装置した。
１４，容器本体の底部及び底部近傍に、水抜き用の貫通孔を設けた。
１５，容器本体の側面に、取っ手または、滑り止めの粗面を設けた。
１６，容器本体の上部近傍に、１ヶ所以上の貫通孔を設け、本体を吊り下げる為のＳ型の吊り下げ部材や、ひも状部材を取り付け可能に装置した。貫通孔は、リブや突起を設け、その上に孔を開ける構成も含む。
１７，容器本体の開口部近傍に、容器の内側に向けた突起またはリブを設け、しゃもじに付いた御飯粒を、容器内に掻き落とせる様に装置した。
１８、スタンドを、容器底面よりも下側に伸ばした。すなわち、平面上に容器本体を置いた時、底面下側が平面に当たらない様に浮かせた。
【請求項３】
回転軸受けを、容器開口部の長辺の中心付近に対して略対称位置に、２ヶ所設ける構成により、蓋を１８０度反転させて容器本体に取り付け、蓋の開閉方向を逆向きにする事を可能に装置した、請求項１または２に記載の、回転蓋付きの容器。
【発明の詳細な説明】
【技術分野】
【０００１】本発明は、多種多様の品物を保管できる容器であるが、主として、炊飯器等に取り付け、しゃもじを保管する為の容器に関する。
【背景技術】
【０００２】炊飯器に、吸盤や磁石等を利用して取り付ける容器は市販されているが、しゃもじの出し入れの際、手で蓋を開閉する手間がかかり、また、しゃもじを挿入する方向が一定の為、炊飯器の特定の側面だけにしか使用できなかった。
【発明の開示】
【発明が解決しようとしている課題】
【０００３】炊飯器の蓋を開けて御飯を茶碗等によそう際、しゃもじを持った片手で容器の蓋の開閉が可能で、しゃもじが容器や蓋の外面に当って汚れる事の無い容器を提供する。
【課題を解決する為の手段】
【０００４】開口部が略長方形の容器に、開口部の長辺と直角の回転軸と、しゃもじの柄を出す為のスリットを有する蓋を設け、スリットと反対側の端部には下向きのプレートを設ける。
回転軸受けは２ヶ所設け、蓋を１８０度逆向きに取り付けても機能する様に装置する。
【発明の効果】
【０００５】本発明品によれば、御飯をよそう際、左手に茶碗を持ち、右手でしゃもじを持った状態でも、しゃもじ用の容器の蓋を簡単に開閉する事が可能となる。また、炊飯器の左右どちらの側面に取り付けても、蓋の向きを変更するだけで使用可能な為、炊飯器の置き場所に困らない上、左利きの人にも使い易くなる。
また、蓋の開閉はしゃもじで行なうが、容器や蓋の外面にしゃもじが触れる事は無いのでしゃもじが汚れる事も無く、極めて衛生的である。
【発明を実施するための最良の形態】
【０００６】１、樹脂製の容器に、スリットを設けた蓋を、回転自在に取り付ける。
２、蓋の、スリットと反対側には、下向きのプレートを設ける。
３、容器本体の側面には、吸盤等を取り付けるフックを設ける。
４、蓋の回転軸受けは、容器本体の上部に、平行に２ヶ所設ける。
以上の様に装置する。
【実施例】
【０００７】図１は、本発明品の斜視図である。１は、略直方体の容器本体であり、上部の開口部に設けた軸受け５に、回転軸６を備えた蓋２が乗せられている。この状態では、蓋２に設けたストッパー７が、容器本体１の開口部上縁に当っている為、蓋２は回転せず、安定している。４はスリットであり、しゃもじ等の長い物を挿入する際、ここから柄の部分だけを出す事ができる。３はスタンドであり、本発明品の転倒を防止する。【０００８】図２は、本発明品の蓋２の上面図である。両側に回転軸６を備え、ストッパ７を装置した端部に、スリット４を設けてある事を示す。尚、容器本体１と蓋２は、それぞれ樹脂製とする。【０００９】図３は、本発明品の断面図で、蓋２を閉じた状態を表す。蓋２の、スリット４と反対側の端部には、下向きのプレート８を設ける。また、１０はしゃもじを示し、本発明品の容器に挿入した場合は、柄の部分がスリット４から出る事を表す。また、９は吸盤を取り付ける為の突起を示し、容器本体の側面に、一体成形で設けられている。尚、９の突起を取り付ける側面は、炊飯器等に当たらない様に、スタンド３を部分的に廃止するか、全部を廃止するのが望ましい。【００１０】図４は、本発明品の断面図で、蓋２を開けた状態を表す。この状態では、プレート８が最下部に位置する為、重量がつり合い、勝手に蓋が閉じる事無く、安定する。この状態でしゃもじの先端でプレート８を押せば、蓋は閉まり、図３の状態に収まる。即ち、しゃもじを持った片手だけで、蓋２の開閉操作が可能となる。また、しゃもじは、プレート８に触れるだけで容器や蓋の外面には触れない為、極めて衛生的である。【００１１】また、図３と図４は、蓋の方向を簡単に変更できる事を表す。軸受け５は、上側が開放した凹形状で、容器本体１の上縁の対称位置に２ヶ所設けてあるので、蓋を持ち上げ、１８０度向きを変えるだけで、簡単に開閉方向の変更ができる。この構成により、本発明品を炊飯器の右側でも左側でも、どちらにでも取り付け可能となり、利便性が飛躍的に向上する。
【産業上の利用可能性】
【００１２】本発明品によれば、しゃもじを持った片手で開閉できる、しゃもじ用の容器を提供し、また炊飯器の左右どちらにでも取り付け可能となる。構造は極めて簡単で、汎用性が高い為、あらゆる用途に活用できる。
【図面の簡単な説明】
【００１３】
【図１】本発明品の、斜視図を表す。
【図２】本発明品の、蓋の上面図を表す。
【図３】本発明品の断面図で、蓋を閉じた状態を表す。
【図４】本発明品の断面図で、蓋を開けた状態を表す。
【符号の説明】
【００１４】  １、本発明品の容器本体
２、蓋
３、スタンド
４、スリット
５、軸受け
６、回転軸
７、ストッパー
８、下向きプレート
９、吸盤取り付け用の突起
１０、しゃもじ
【図１】
2008119437.tif 000003
【図２】
2008119437.tif 000004
【図３】
2008119437.tif 000005
【図４】
2008119437.tif 000006